(57)【要約】【課題】この発明は、取付け基盤にユニットを取付ける際、機械的な接続と電気的な接続とを１動作で達成できる着脱構造を有して簡単に着脱することができ、しかもノイズを発生させない信頼性の高い接続ができるユニットの取付け構造、玉払出しユニットの取付け構造およびパチンコ遊技機を提供する。【解決手段】この発明は、ユニットを取付け基盤に押し当てて上向きにスライドさせれば係止対応させて取付けることができ、ユニットを下向きにスライドさせて引抜けば取付け基盤より取外すことができる。このとき、ユニットのスライド時にユニット側のコネクタを既連結状態のままで該ユニットをスライド許容させて、ユニットを配線したまま移動可能にする。【選択図】  図２
2004344549.tif 000002
【特許請求の範囲】
【請求項１】
取付け基盤の係止部にユニットの係止部を係止させて前記取付け基盤にユニットを着脱可能に取付けるユニットの取付け構造であって、
前記取付け基盤の取付け面には凹凸対応して電気的に接続するための一方のコネクタを配設し、
前記一方のコネクタと対向する前記ユニットの取付け面には凹凸対応して電気的に接続するための他方のコネクタを配設し、この他方のコネクタを該ユニットの係止方向にスライド許容して保持した
ユニットの取付け構造。
【請求項２】
上方から降下する玉を降下ガイドする降下通路と、前記降下通路の下方に接続される払出し通路との上下間に着脱可能に介在される玉払出しユニットの取付け構造であって、
前記取付け基盤には前記玉払出しユニットを壁面に係止して取付けるための壁面係止部と、取付け面間で凹凸対応して電気的に配線接続するための一方のコネクタとを備え、
前記玉払出しユニットには前記壁面係止部に係止される係止位置と壁面係止部より離脱される離脱位置との移動方向を壁面上下方向に設定して着脱される着脱係止部と、前記コネクタと壁面対向方向に凹凸対応して電気的に接続される他方のコネクタとを備え、
前記一方のコネクタに他方のコネクタを前記取付け基盤の壁面対向方向より凹凸対応させて電気的に配線接続した連結状態で前記着脱係止部が下方より上方の前記壁面係止部に係止されるまで前記他方のコネクタを前記玉払出しユニットの係止方向にスライド許容して保持するスライド機構とを備えた
玉払出しユニットの取付け構造。
【請求項３】
前記玉払出しユニットの下面を受止める受止め部材を前記取付け基盤に備えた請求項２記載の玉払出しユニットの取付け構造。
【請求項４】
前記受止め部材は前記取付け基盤の取付け面側に突出して前記玉払出しユニットの下面を受止める受止め位置に該受止め部材を付勢し、該付勢力に抗して前記突出した受止め部材を受止め位置より後退方向に退避移動させる退避機構を備えた
請求項２記載の玉払出しユニットの取付け構造。
【請求項５】
前記一方のコネクタまたは他方のコネクタの凹凸対応して電気的に接続される接続方向に突出する電源ラインの端子と信号ラインの端子のうち、電源ラインの端子突出長さを、信号ラインの端子突出長さよりも長く突出した
請求項１記載のコネクタの取付け構造または請求項２記載の玉払出しユニットの取付け構造。
【請求項６】
請求項１記載のユニットの取付け構造または請求項２、３、４または５記載の玉払出しユニットの取付け構造を備えたパチンコ遊技機。
【発明の詳細な説明】
【０００１】
【発明の属する技術分野】
この発明は、電気的に配線接続するためのコネクタを備えたユニットの取付け構造に関し、さらに詳しくは着脱構造を簡単化してメンテナンスを容易にしたユニットの取付け構造、玉払出しユニットの取付け構造およびパチンコ遊技機に関する。
【０００２】
【従来の技術】
以下、パチンコ遊技機に備えられる玉払出しユニットを例にとって説明すると、上方の降下通路から供給されたパチンコ玉（以下、玉と称す）を降下させて玉払出しユニットに導き、この玉払出しユニットに配設されたスプロケットの回転送り動作によって玉を下方に払出している。
【０００３】
ところで、このような玉払出しユニットは、玉詰りなどの障害の復旧、払出し部品のメンテナンスを考慮して、玉払出しユニットを取付け基盤より簡単に取外せるように構成している（例えば特許文献１参照）。
【０００４】
この場合の取外し構造は、図１３に示すように、取付け基盤に該当する中間ユニットベース１３１の壁面に形成した４個の位置決め突片１３２の下側に、玉払出し構造を収納しているケース（玉払出しユニット）１３３の４隅に突設した突部１３４を位置合せして、前記ケース１３３を中間ユニットベース１３１の取付け面に当てがった状態で上方の取付け位置までスライドさせて嵌め込んでいる。そして、この嵌め込みと同時に中間ユニットベース１３１の中央部に垂設した弾性係合片１３５がケース１３３の下端中央部を係合して支持し、このとき該弾性係合片１３５の弾性力によってケース１３３の下側を弾性的に支えて、該ケース１３３を中間ユニットベース１３１に取付けている。
【０００５】
【特許文献１】
特開２００２−３５３３６号公報。
【０００６】
【発明が解決しようとする課題】
しかし、このような取付け構造では、ケース１３３に上方から過大な玉圧がかかると、取付けられたケース１３３が下方にスライドして中間ユニットベース１３１より外れる恐れがある。また、このケース１３３を支える弾性係合片１３５が上方からの玉圧を繰返し受けることにより弾性力が弱まり、該弾性係合片１３５の弾性力が損なわれて元の位置に戻らなくなると、ケース下面への係合部分のかかり具合いが弱い不安定な取付けになってしまう。
【０００７】
さらに、このような位置決め突片１３２、突部１３４および弾性係合片１３５による機械的な取付けに加えて、電源ラインや信号ラインの電気的な配線接続も必要になるため、この電気的な配線接続も、上述の機械的な取付けとは別に人手によって行っている。このため、ケースを中間ユニットベースに取付け、あるいは取外す場合に手間がかかっていた。
【０００８】
また、電気的に配線接続する場合においても、電源ラインと信号ラインとは、電源ラインを最初に接続し、最後に切り離すようにしてノイズの発生を極力抑制することが望ましいが、電源ラインが信号ラインよりも後で接続されたり、先に切り離されたりすると、このときに発生したノイズが何らかの形で信号ライン側に載って不具合が生じることがある。例えば、玉払出し時に誤計数等の障害を発生させることがある。
【０００９】
そこでこの発明は、取付け基盤にユニットを取付ける際、機械的な接続と電気的な接続とを略同時に達成できる着脱構造を有して簡単に着脱することができ、しかもノイズを発生させない信頼性の高い配線接続ができるユニットの取付け構造、玉払出しユニットの取付け構造およびパチンコ遊技機を提供することを目的とする。
【００１０】
【課題を解決するための手段】
この発明は、取付け基盤の係止部に、ユニットの係止部を係止させて前記取付け基盤にユニットを着脱可能に取付けるユニットの取付け構造であって、前記取付け基盤の取付け面には凹凸対応して電気的に接続するための一方のコネクタを配設し、前記一方のコネクタと対向する前記ユニットの取付け面には凹凸対応して電気的に接続するための他方のコネクタを配設し、この他方のコネクタを該ユニットの係止方向にスライド許容して保持したユニットの取付け構造であることを特徴とする。
【００１１】
この発明によれば、取付け基盤にユニットを取付ける際、双方のコネクタを対向させた状態で、その対向方向にユニットを取付け基盤に対接させれば、対向する双方のコネクタのソケットとプラグが凹凸対応して双方のコネクタ間をワンタッチで接続することができる。
【００１２】
これらのコネクタ間の電気的な接続に続いて、ユニットをスライドさせて取付け基盤に係止させて一体化するときは、取付け基盤の係止方向にユニットをスライドさせれば、ユニット側の他方のコネクタは該ユニットの係止方向にスライド許容して保持されているため、取付け済の両コネクタは接続状態を保ったままでユニットはスライド移動が許容されて取付け基盤にユニットを係止して一体に取付けることができる。
【００１３】
このため、機械的なユニットのスライド動作と電気的な配線接続とを１動作で可能にして取付けることができる。従って、ユニットの取付け時には、該ユニットの取付け面を取付け基盤に押し当ててスライドさせれば簡単に接続することができる。
【００１４】
前記取付け基盤とユニットは、取付け基盤とユニットとの両者間を着脱する機械的な取付けと電気的な取付けとの双方の接続を必要とする部位に適用することができる。
【００１５】
この発明の別の形態として、上方から降下する玉を降下ガイドする降下通路と、前記降下通路の下方に接続される払出し通路との上下間に着脱可能に介在される玉払出しユニットの取付け構造であって、前記取付け基盤には前記玉払出しユニットを壁面に係止して取付けるための壁面係止部と、取付け面間で凹凸対応して電気的に配線接続するための一方のコネクタとを備え、前記玉払出しユニットには前記壁面係止部に係止される係止位置と壁面係止部より離脱される離脱位置との移動方向を壁面上下方向に設定して着脱される着脱係止部と、前記コネクタと壁面対向方向に凹凸対応して電気的に接続される他方のコネクタとを備え、前記一方のコネクタに他方のコネクタを前記取付け基盤の壁面対向方向より凹凸対応させて電気的に配線接続した連結状態で前記着脱係止部が下方より上方の前記壁面係止部に係止されるまで前記他方のコネクタを前記玉払出しユニットの係止方向にスライド許容して保持するスライド機構とを備えた玉払出しユニットの取付け構造であることを特徴とする。
【００１６】
このように構成した場合は、取付け基盤に玉払出しユニットを取付ける際、双方のコネクタを対向させた状態で、その対向方向に玉払出しユニットを取付け基盤に対接させれば、対向する双方のコネクタのソケットとプラグが凹凸対応するためワンタッチで接続することができる。続いて、玉払出しユニットを上向きにスライドさせれば、そのスライド方向の係止位置に該ユニットの着脱係止部が至った時点で取付け基盤の壁面係止部に係止されて、玉払出しユニットの取付けが完了する。
【００１７】
この玉払出しユニットを上方にスライドして取付け基盤に取付けるとき、取付け済の他方のコネクタは一方のコネクタとの連結状態を保ったままで玉払出しユニットの上向きのスライド移動に連動してスライドするスライド機構を有しているため、コネクタ間を連結したままでも玉払出しユニットのスライドを許容する。このため、機械的な玉払出しユニットのスライド動作と電気的な配線接続とを同時に可能にして取付けることができる。従って、玉払出しユニットの取付け時には、該玉払出しユニットの取付け面を取付け基盤に押し当ててスライドさせれば簡単に接続することができる。
【００１８】
次に、取付け基盤から玉払出しユニットを取外す場合は、玉払出しユニットを取付け基盤の壁面に沿って下向きにスライドさせ、離脱位置に至ると、壁面係止部から着脱係止部が外れるため離脱可能になり、取付け基盤より離れる壁面対向方向に引抜けばコネクタ間も外れて離脱することができる。
【００１９】
このように、機械的な着脱と電気的な着脱との異種着脱の必要性があっても、これらを１動作で達成できる着脱構造を有しているため、簡単に着脱することができる。この結果、玉払出しユニットを着脱するときの作業性が向上し、メンテナンスが容易になる。
【００２０】
さらに、着脱係止部の位置決めに際しては、対向するコネクタを突き合せて接続したとき、取付け基盤と玉払出しユニットとの双方の係止部がスライド前にスライド方向の位置合せが完了するように各々の係止部を配設しておけばよい。
【００２１】
この発明の別の形態として、前記玉払出しユニットの下面を受止める受止め部材を前記取付け基盤に備えることができる。
【００２２】
この場合は、受止め部材によって玉払出しユニットの下面を受止めることができるため、上方から玉払出しユニットに玉圧がかかっても、該玉払出しユニットは下動せず、取付け基盤から玉払出しユニットが外れることはない。また、受止め部材は取付け基盤に保持されているため該受止め部材は取付け基盤と一体化して玉払出しユニットを保持する。このため、受止め部材は弾性的に変位せず、玉払出しユニットが玉圧を受けても常に安定して受止めることができる。
【００２３】
この発明の別の形態として、前記受止め部材は前記取付け基盤の取付け面側に突出して前記玉払出しユニットの下面を受止める受止め位置に該受止め部材を付勢し、該付勢力に抗して前記突出した受止め部材を受止め位置より後退方向に退避移動させる退避機構を備えることができる。
【００２４】
この場合は、玉払出しユニットを着脱するときに、受止め部材を、その付勢力に抗して玉払出しユニットの着脱部位から退避移動させておくことができるため、玉払出しユニットを着脱操作するときに支障にはならない。一方、玉払出しユニットの着脱後には、受止め部材が付勢されて受止め位置に戻り、直ちに本来の受止め姿勢に移る。
【００２５】
また、受止め部材の退避機構は、受止め部材を壁面対向方向に回動するように取付け基盤に軸支すればよく、また退避力が除かれた時点で受止め部材が受止め位置に復帰するようにバネで付勢支持すれば構成することができる。
【００２６】
この発明の別の形態として、前記一方のコネクタまたは他方のコネクタの凹凸対応して電気的に接続される接続方向に突出する電源ラインの端子と信号ラインの端子のうち、電源ラインの端子突出長さを、信号ラインの端子突出長さよりも長く突出させて構成することができる。
【００２７】
この場合は、一方のコネクタに他方のコネクタを対接させて配線接続するとき、電源ラインの端子が信号ラインの端子より長いため、先に電源ラインが接続し、その次に信号ラインが接続される。また、両コネクタの端子間を切り離す際は、玉払出しユニットの引抜き動作とともに端子の短い信号ラインが先に切り離され、その次に端子の長い電源ラインが切り離される。このため、両コネクタ間を着脱してもノイズが発生する恐れがなくなり、ノイズの発生原因を解消できる。この結果、信号ラインはノイズによる悪影響を受けなくなり、玉を誤計数してしまうなどの障害を回避できる回路保護機能も同時に得られる。
【００２８】
このように構成された玉払出しユニットをパチンコ遊技機に組込めば、回路保護性能が高く、しかもメンテナンス性に優れたパチンコ遊技機を構築できる。
【００２９】
【発明の実施の形態】
この発明の一実施の形態を以下図面に基づいて説明する。
図面はパチンコ遊技機に内蔵される玉払出しユニットの取付け構造を示している。図１はパチンコ遊技機の背面側を示し、このパチンコ遊技機の背面上部に景品玉タンク１１を配設し、この景品玉タンク１１の下部に玉を整列して流下させる誘導樋１２を接続している。
【００３０】
この誘導樋１２の下端に、垂直方向に設けた２列の供給樋１３ａ，１３ｂを接続し、これらの供給樋１３ａ，１３ｂの下端に、景品数分の玉を払出す玉払出しユニット１４を接続している。
【００３１】
この玉払出しユニット１４の下方には、玉をパチンコ遊技機の前面の受皿へと導く排出樋１５を接続している。また、パチンコ遊技機の背面中央部にはパチンコ遊技機を制御するメイン制御基板１６と、玉払出しユニット１４の玉の払出しを制御する制御基板１７を備えている。
【００３２】
前記玉払出しユニット１４は、メンテナンスの容易化を図って、図２に示すように、取付け基盤２１に該玉払出しユニット１４を着脱可能に取付けている。
上述の取付け基盤２１は平板状を有してパチンコ遊技機の背面に垂直に固定設置される。そして、この取付け基盤２１の前面に、上方から降下する玉Ｐを２列に区切って降下ガイドする降下通路２３を備えた通路ブロック２４と、電気的に配線接続するための固定コネクタ２５と、取付け基盤２１に前記玉払出しユニット１４を係止して取付けるためのＬ形係止片２６と、玉払出しユニット１４の全体の下面を受止める受止めレバー２７とを有している。
【００３３】
前記通路ブロック２４は取付け基盤２１の上部に固定設置され、玉Ｐを垂直に降下させる降下通路２３を並列して縦貫している。これらの降下通路２３の上方に既述した供給樋１３ａ，１３ｂが接続され、下方に後述する玉払出しユニット１４の払出し通路が接続される。
【００３４】
この通路ブロック２４より下方に位置して、取付け基盤２１の取付け面の両側には、上下方向に平行するガイドレール２８，２９を突出形成し、両側のガイドレール２８，２９間に後述する玉払出しユニット１４を介在させて上下方向にスライド可能にガイドする。これらのガイドレール２８，２９のレール面となる内側面の上下位置にはＬ形に突出するＬ形係止片２６をそれぞれ形成し、取付け基盤２１の取付け面とＬ形係止片２６の係止面との対向面間で後述する玉払出しユニット１４の係止突起を挟み込んで係止するようにしている。
【００３５】
さらに、取付け基盤２１には前記両側に平行するガイドレール２８，２９の間に介在される縦長の固定コネクタ２５を固定設置している。この固定コネクタ２５は取付け基盤２１を横貫して取付けられ、該固定コネクタ２５の前面側が、後述する可動コネクタと凹凸対応して電気的に接続される配線接続面側に設けられ、固定コネクタ２５の後面側（図３参照）が玉払出しユニット１４の制御基板１７の制御部と電気的に接続される配線接続面側に設けられる。
【００３６】
さらに、取付け基盤２１にはガイドレール２８，２９の下側に、玉払出しユニット１４の受止めレバー２７を配設している。この受止めレバー２７は、図３に示すように、ガイドレール２８，２９の下端に相当する取付け基盤２１の位置に横長の横貫口３０を開口し、この横貫口３０に横長の長方体状の受止めレバー２７を介在させ、該レバー２７の一端部を支軸３１で軸支して、該支軸３１を回動支点に受止めレバー２７を取付け基盤２１の前後方向に回動自由に設けている。
【００３７】
また、受止めレバー２７には退避機構３２を備えており、この退避機構３２は支軸３１の取付け部分に内蔵されている図示しないバネで受止めレバー２７を取付け基盤２１の前面に平行する受止め位置に維持するように付勢支持している。
【００３８】
さらに、この受止めレバー２７の前面中央部には、玉払出しユニット１４の下端面を受止める水平な受止め面２７ａを形成し、またレバー前面の他端側には回動退避用に押すための押子２７ｂを突設している。この押子２７ｂを前方から付勢力に抗して押せば、受止めレバー２７は支軸３１を回動支点に後方に退避移動する。この受止めレバー２７の退避移動を可能にすることにより、玉払出しユニット１４を着脱するときに、受止めレバー２７を付勢力に抗して玉払出しユニット１４の着脱方向から退避移動させておくことができ、玉払出しユニット１４の着脱操作の支障にはならない。一方、玉払出しユニット１４の着脱後には、受止めレバー２７が元の受止め位置に付勢されて戻り、直ちに本来の受止め姿勢に復帰する。
【００３９】
次に、上述の取付け基盤２１に着脱される玉払出しユニット１４について説明する。
この玉払出しユニット１４は、払出し通路３３と、払出し部３４と、可動コネクタ３５と、係止突起３６とを備えて構成される。
【００４０】
前記玉払出しユニット１４は、上述した取付け基盤２１の垂直な取付け面に平面対向する平面部２２ａを対向面側に有し、その後方に、前記降下通路２３の下側に開口して接続される払出し通路３３と、該払出し通路３３に導かれた玉を制御部で定められた数だけ下方に払出す払出し部３４を備えている。
【００４１】
この払出し部３４はモータＭを駆動源に備えて、図４および図５に示すように、スプロケット３２ａを回転制御して、例えば７個、１５個、２５個と定められた玉数を払出す。
【００４２】
前記可動コネクタ３５は、前記固定コネクタ２５と対向する平面部２２ａに横貫して設け、この可動コネクタ３５が固定コネクタ２５と対向する壁面対向方向より差し込んで配線接続される。
【００４３】
この横貫した可動コネクタ３５には、玉払出しユニット１４の着脱操作を簡単化するためのスライド機構３７を備えている。このスライド機構３７は、両コネクタ２５，３５を連結した状態で、後述するスライドガイド口２２ｂのスライドによって、玉払出しユニット１４を取付け基盤２１のガイドレール２８，２９に沿って上向きにスライド許容させるものである。そのスライド長さはガイドレール２８，２９に突出するＬ形係止片２６に、玉払出しユニット１４の係止突起３６が係止される位置まで該可動コネクタ３５を上向きのスライド方向に連動させてスライドさせる。
【００４４】
上述の可動コネクタ３５は平面部２２ａの上下方向にスライド長さに対応して開口した縦長のスライドガイド口２２ｂに上下方向にスライド許容して取付けられており、図示しないバネによって取付け前の自由状態ではスライドガイド口２２ｂの上端側に付勢されて待機している。そして、玉払出しユニット１４の上向きのスライド時に、可動コネクタ３５は固定コネクタ２５に連結されて固定しており、可動コネクタ３５はそのままで上下方向に移動せず、スライドガイド口２２ｂが上向きにスライドする。また、スライドガイド口２２ｂの下端側には上向きのスライド限界位置でスライド移動を規制するストッパ片２２ｃを配設している。
【００４５】
さらに、平面部２２ａの両側上下位置には係止突起３６を突設しており、これらの係止突起３６が上述した各Ｌ形係止片２６に係止対応したとき、一体に固定される。
【００４６】
この場合、図６に示すように、玉払出しユニット１４の平面部２２ａを取付け基盤２１に押し当てて上向きにスライドさせれば取付けることができる。この玉払出しユニット１４を上方にスライドしたときに該玉払出しユニット１４の係止突起３６がＬ形係止片２６に係止される係止位置と、この係止位置より玉払出しユニット１４を下向きにスライドしたきにＬ形係止片２６より離脱される係止突起３６の離脱位置との移動方向を取付け面の上下方向に設定している。
【００４７】
一方、取付け基盤２１から玉払出しユニット１４を取外す場合は、玉払出しユニット１４を取付け基盤２１の取付け面に沿って下向きにスライドさせて、係止突起３６が係止位置から離脱位置に至ったとき、Ｌ形係止片２６から係止突起３６が外れるため離脱可能になる。このため、玉払出しユニット１４を取付け基盤２１より離れる方向に引抜けばコネクタ２５，３５間が外れて離脱することができる。
【００４８】
上述の固定コネクタ２５と可動コネクタ３５とを対向させたときの両コネクタの着脱対向位置と、Ｌ形係止片２６と係止突起３６との離脱位置とを、同位置に設定し、該離脱位置を玉払出しユニット１４のスライド方向に対する取付け開始位置と取外し終了位置に設けている。
【００４９】
次に、固定コネクタ２５と可動コネクタ３５との配線接続を図７を参照して具体的に説明する。
固定コネクタ２５の配線接続方向にはプラグ側として、電源ラインの端子２５ａと信号ラインの端子２５ｂとを突設しており、これら端子２５ａ，２５ｂのうち、電源ラインの端子２５ａの長さを、信号ラインの端子２５ｂよりも長く突出させて設けている。そして、これら端子２５ａ，２５ｂと対応する数の端子接続孔を有するソケット側として設けられる可動コネクタ３５が一括して差し込まれることにより配線接続される。
【００５０】
この場合、固定コネクタ２５に向けて可動コネクタ３５を差し込んで配線接続する場合、電源ラインの端子２５ａが信号ラインの端子２５ｂより長いため、先に電源ラインが接続し、その後に信号ラインが接続される。また、両コネクタの端子２５ａ，２５ｂ間を切り離す際は、可動コネクタ３５が固定コネクタ２５より切り離される方向に引抜かれるとき、端子の短い信号ライン側が先に切り離され、その次に端子の長い電源ライン側が切り離される。このため、可動コネクタ３５を着脱するときの電源を切り入りするタイミングがノイズの発生を防止するタイミングとなり、信号ラインを保護する切り入りタイミングとなる。このため、信号ラインはノイズによる悪影響を受けなくなり、玉の誤計数等の障害を回避できる回路保護機能が得られる。
【００５１】
次に、取付け基盤２１と玉払出しユニット１４との着脱操作について説明する。
図２および図７に示すように、取付け基盤２１の固定コネクタ２５に玉払出しユニット１４の可動コネクタ３５を対向させた状態で、その対向方向に玉払出しユニット１４を押し込んで行けば、対向する両コネクタ２５，３５のソケットとプラグが凹凸対応して両コネクタ２５，３５間が接続される。
【００５２】
この場合、玉払出しユニット１４の平面部２２ａの下面側が、図９に示すように、受止めレバー２７を退避方向に押して退避させることができるので取付け操作に連動させて受止めレバー２７を退避させることができ、玉払出しユニット１４の取付けに手間がかからない。
【００５３】
続いて、その対接状態で玉払出しユニット１４を上向きにスライドさせれば、玉払出しユニット１４はガイドレール２８，２９に沿って上動し、そのスライド方向の係止位置に至ったとき、図１０および図１１に示すように、Ｌ形係止片２６に係止突起３６が係止されて、玉払出しユニット１４の取付けが完了する。
【００５４】
この玉払出しユニット１４の上向きのスライド時に、先に固定コネクタ２５に差し込んで取付けられている可動コネクタ３５はスライド機構３７によって、固定コネクタ２５との接続状態を保ったままで玉払出しユニット１４の上向きのスライド移動に連動してスライドガイド口２２ｂが同じ長さスライドするため、コネクタ２５，３５間を接続したままでも玉払出しユニット１４のスライドを許容する。このため、玉払出しユニット１４のスライド時に、コネクタ間が既に接続されていても支障はない。
【００５５】
また、スライド後は、図１２に示すように、玉払出しユニット１４が上方にスライドして取付けられると、下方の受止めレバー２７は玉払出しユニット１４による対接方向の退避力が除かれるため、元の受止め位置に付勢されて戻り、玉払出しユニット１４に対する受止め姿勢を維持する。
【００５６】
このため、上方から玉払出しユニット１４に玉圧がかかっても、この玉払出しユニット１４は受止めレバー２７によって下面が受止められるため下動せず、玉払出しユニット１４は安定して取付け基盤２１に取付けられる。
【００５７】
次に、取付け基盤２１から玉払出しユニット１４を取外す場合は、先ず、押子２７ｂを指先で押して受止めレバー２７を後方に退避させた後、玉払出しユニット１４を取付け基盤２１に沿って下向きにスライドさせる。これにより、玉払出しユニット１４の係止突起３６が上方の係止位置から下方の離脱位置に至ったとき、Ｌ形係止片２６から係止突起３６がそれぞれ外れて離脱可能な状態になり、玉払出しユニット１４を取付け基盤２１より離れる方向に引抜けばコネクタ間が外れて離脱することができる。
【００５８】
上述のように、取付け基盤に玉払出しユニットを着脱する場合、取付け基盤に対して玉払出しユニットを押し当てる操作と上向きにスライドさせる操作だけで簡単に取付けることができる。また、逆に取付け基盤に対し、玉払出しユニットを下向きにスライドさせるスライド操作と引抜き操作だけで簡単に取外すことができる。
【００５９】
この発明の構成と、上述の一実施の形態との対応において、
この発明のユニットは、実施の形態の玉払出しユニット１４に対応し、
以下同様に、
一方のコネクタは、固定コネクタ２５に対応し、
他方のコネクタは、可動コネクタ３５に対応し、
壁面係止部は、Ｌ形係止片２６に対応し、
着脱係止部は、係止突起３６に対応し、
受止め部材は、受止めレバー２７に対応するも、
この発明は請求項に示される技術思想に基づいて応用することができ、上述の一実施の形態の構成のみに限定されるものではない。
【００６０】
【発明の効果】
この発明によれば、取付け基盤に玉払出しユニットを着脱するときの機械的な着脱構造と電気的な着脱構造との異種着脱構造を略同時に達成できる着脱構造を有しているためワンタッチで簡単に着脱することができる。この結果、玉払出しユニットを着脱するときの作業性が向上し、メンテナンスが容易になる。
【図面の簡単な説明】
【図１】パチンコ遊技機の背面側を示す概略背面図。
【図２】玉払出しユニットの離脱状態を示す斜視図。
【図３】取付け基盤の背面側を示す斜視図。
【図４】玉払出しユニットの玉払出し構造を示す要部縦断斜視図。
【図５】取付け基盤と玉払出しユニットとのスライドして固定する前の対接状態を示す縦断面図。
【図６】取付け基盤と玉払出しユニットとのスライドして固定する前の対接状態を示す斜視図。
【図７】固定コネクタの電源ラインの端子と信号ラインの端子との突出状態を示す斜視図。
【図８】受止めレバーの退避状態を示す斜視図。
【図９】受止めレバーの退避状態を示す平面図。
【図１０】取付け基盤に玉払出しユニットを一体に取付けた状態を示す斜視図。
【図１１】取付け基盤に玉払出しユニットを一体に取付けた状態を示す縦断側面図。
【図１２】取付け基盤に玉払出しユニットを一体に取付けた状態を示す平面図。
【図１３】従来の玉払出しユニットの着脱構造を示す分解斜視図。
【符号の説明】
１４…玉払出しユニット
２１…取付け基盤
２５，３５…コネクタ
２６…Ｌ形係止片
２７…受止めレバー
３６…係止突起
３７…スライド機構
Ｐ…玉
【図１】
2004344549.tif 000003
【図２】
2004344549.tif 000004
【図３】
2004344549.tif 000005
【図４】
2004344549.tif 000006
【図５】
2004344549.tif 000007
【図６】
2004344549.tif 000008
【図７】
2004344549.tif 000009
【図８】
2004344549.tif 000010
【図９】
2004344549.tif 000011
【図１０】
2004344549.tif 000012
【図１１】
2004344549.tif 000013
【図１２】
2004344549.tif 000014
【図１３】
2004344549.tif 000015